【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
超広帯域検出器を備える電磁干渉（ＥＭＩ）インジケータにおいて、超広帯域検出器は、
受信機保護を有する、ＥＭＩを受信するためのブロードバンド逆スパイラルアンテナと、
ＥＭＩ信号の大きさに比例する直流電圧にＥＭＩ信号を変換するための対数受信機と、
検出器中で生じた直流電圧が、あらかじめ設定されたしきい値電圧を超えるときに、信号を生成するための、受信機の出力部に接続されたピーク／平均検出器およびコントローラとを備え、
検出器が、ＥＭＩイベントを検出すると、指示手段を起動するように構成されている、電磁干渉（ＥＭＩ）インジケータ。
【請求項２】
アンテナが、遮蔽を行うための、および随意にフレキシブルプリント回路基板上に印刷された、大きい導電性エリアを有する、請求項１に記載のインジケータ。
【請求項３】
アンテナが、逆対数スパイラルアンテナである、請求項１または２に記載のインジケータ。
【請求項４】
アンテナが、増加された検出角度を与えるように、たとえば方位角または迎角において、たとえば湾曲したまたは半球状の形状を与えるように整形された、請求項１から３のいずれか一項に記載のインジケータ。
【請求項５】
アンテナが、特定の脅威周波数、またはアンテナの現在の帯域幅の外部の新生の新しい脅威の検出を可能にするために２つの次元においてスケーラブルである、請求項１から４のいずれか一項に記載のインジケータ。
【請求項６】
受信機が減衰器によって保護され、随意に、減衰の大きさが検出しきい値アルゴリズムの構成部分である、請求項１から５のいずれか一項に記載のインジケータ。
【請求項７】
ピーク／平均検出器および／またはプロセッサが、データベースから導出されるあらかじめ設定される基準電圧（しきい値）を制御するためのソフトウェアプログラム式可変電位差計を含む、請求項１から６のいずれか一項に記載のインジケータ。
【請求項８】
コントローラが中央処理ユニット（ＣＰＵ）であり、およびあるいは指示手段がインジケータの一部であり、視覚手段（たとえば、発光ダイオード）または可聴手段（たとえば、ブザー）のうちの少なくとも１つを備える、請求項１から７のいずれか一項に記載のインジケータ。
【請求項９】
インジケータが、コンピュータシステムからデータを送信／受信するための１つまたは複数の出力ポートをさらに備え、コンピュータシステムが、ワイヤードまたはワイヤレス手段を介してコンピュータシステムに通信される検出器デバイスからの出力信号に応答するソフトウェアプログラムを備える指示手段を含む、請求項１から８のいずれか一項に記載のインジケータ。
【請求項１０】
外部から導出されるＧＰＳ／ＧＮＳＳタイミング信号も、検出器が検出器の定義されたおよび設置されたロケーションから移動されたかどうか座標の変化を通して指示を与えることによって、不正変更検出を助けるために使用され得る、請求項１から９のいずれか一項に記載のインジケータ。
【請求項１１】
停電中にＥＭＩ検出およびＥＭＩイベントデータ記憶を可能にするバッテリーバックアップが与えられる、請求項１から１０のいずれか一項に記載のインジケータ。
【請求項１２】
１つまたは複数のエレクトロニクス構成要素がＥＭＩ遮蔽筐体内に格納される、請求項１から１１のいずれか一項に記載のインジケータ。
【請求項１３】
受信機が、受信機を保護するように開回路を与えるための犠牲故障モードをもつ要素を有する、請求項１から１２のいずれか一項に記載のインジケータ。
【請求項１４】
ワイヤードまたはワイヤレス手段を介してコンピュータシステムに通信される検出器デバイスからの出力信号に応答するソフトウェアプログラムを備える、請求項１から１３のいずれか一項に記載のインジケータ。
【請求項１５】
遠隔制御および問合せを提供するコンピュータシステムに組み込まれ、前記コンピュータシステムが、随意に、１つまたは複数のインジケータをインターフェースすることに専用のソフトウェアアプリケーションを備える、請求項１から１４のいずれか一項に記載のインジケータ。
【請求項１６】
（超広帯域波形を特徴づける）高いピーク電力をもつＥＭＩ信号と（狭帯域およびＣＷ波形を特徴づける）高い瞬時平均電力成分のＥＭＩ信号との弁別を可能にする、ピーク／平均弁別が達成される、請求項１から１５のいずれか一項に記載のインジケータ。
【請求項１７】
不揮発性メモリ記憶装置が含まれ、検出器によって記録されるＥＭＩイベントが電気／電子システムの不調／誤動作など、他のイベントと時間相関されることを可能にし、前記不揮発性メモリ記憶装置が不正変更保護され、データが科学捜査的に検査され、証拠手段のために使用されることを可能にする、請求項１から１６のいずれか一項に記載のインジケータ。
【請求項１８】
搭載リアルタイムクロックチップから導出されるタイムスタンプが、外部から導出されるＧＰＳ／ＧＮＳＳタイミング信号に対して較正され、前記タイムスタンプが、こうして、不揮発性メモリに記憶されたイベントデータストリングの構成部分を形成する、請求項１から１７のいずれか一項に記載のインジケータ。
【請求項１９】
通信が、１つの切断可能なワイヤードチャネル／ポートと、ワイヤレスチャネルの２つの形態、（ワールドワイドな）長距離のためのＧＰＲＳおよび（２００ｍよりも小さい）短距離のためのＺｉｇｂｅｅとを介して達成される、請求項１から１８のいずれか一項に記載のインジケータ。
【請求項２０】
請求項１から１９のいずれか一項に記載のインジケータの使用を備える、ＥＭＩから電気／電子機器を識別および／または保護する方法であって、前記メモリ記憶装置が、追加または代替として、電気／電子機器の自動パワーダウン制御に接続可能である、方法。
【請求項２１】
電気／電子機器のためのＥＭＩを識別する方法であって、
ａ）電磁放射に応答して、少なくとも３０ＭＨｚから６ＧＨｚの帯域幅を有する検出器において直流電流および電圧信号を生成するステップであって、検出器が、それぞれの整流器を有する少なくとも１つのアンテナを備える、生成するステップと、
ｂ）ステップ（ａ）において生成された直流電圧を、あらかじめ設定された基準電圧と比較するステップと、
ｃ）直流電圧が基準電圧を超える場合、環境が不利であるという指示を与えるステップと
を備える、方法。
【請求項２２】
低いフォールスアラームレートで電気／電子機器のためのＥＭＩの形態の不利な環境を識別する方法であって、方法が、１つまたは多くのインジケータの使用を備え、検出アルゴリズムが、脅威および効果データベースから導出され、３つの機構、ａ）アンテナと受信機との間で使用される固定ハードウェア減衰器であって、減衰器の値がアルゴリズムによって定義される、固定ハードウェア減衰器、ｂ）しきい値を微調整するために使用されるソフトウェア制御電位差計であって、前記しきい値設定がコード化レベルの入力を介してユニットにプログラムされ、前記コード化レベルが、検出器への電力が失われ、バッテリーバックアップが消耗されると、ソフトウェアコード化されたしきい値が再設定されるように、揮発性メモリに記憶される、ソフトウェア制御電位差計、ｃ）ピーク検出器の応答時間が、アルゴリズムによって指示された応答時間に対して較正される、を使用して検出器に実装される、方法。
【請求項２３】
脅威および効果データベースから導出される、および／または検出エリア内での検出器のロケーションの好適な選択によって、たとえば、検出エリア内に位置する電気／電子機器への最も可能性がある脅威をＥＭＩが引き起こす、検出器のためのロケーションを選択することによって導出されるアルゴリズムから導出される適切なしきい値レベルの選択を通して、低いフォールスアラームレートが達成され得る、請求項２０から２２のいずれか一項に記載の方法。
【請求項２４】
「周囲」ＥＭＩ環境または通常ＥＭＩ環境の記録および監視することと、それゆえ、通常／正常ＥＭＩを異常ＥＭＩと弁別するための能力を検出器に与えることとを可能にする、調査モードの提供を通して、低いフォールスアラームレートが達成され得る、請求項２３に記載の方法。